(57)【特許請求の範囲】
【請求項１】
被検体を収容する空間に静磁場を形成する静磁場形成手段と、
前記空間に勾配磁場を形成する勾配磁場形成手段と、
前記空間に高周波磁場を形成する高周波磁場形成手段と、
前記空間から磁気共鳴信号を測定する測定手段と、
前記勾配磁場形成手段、前記高周波磁場形成手段および前記測定手段を制御することにより、１回の励起で生じる磁気共鳴信号に基づき１スライスの断層像を生成するに足る複数の磁気共鳴信号を収集するスキャンシーケンスを１スライス当たり所定の繰り返し時間で複数回繰り返すとともに、前記繰り返しの最終回に相当する磁気共鳴信号を収集した後は直ちに前記スキャンシーケンスを終了する制御手段と、
前記測定手段が測定した前記磁気共鳴信号に基づいて画像を生成する画像生成手段とを具備することを特徴とする磁気共鳴撮像装置。
【請求項２】
請求項１に記載の磁気共鳴撮像装置において、
前記スキャンシーケンスは、シングルショット・ファーストスピンエコー法によるものであることを特徴とする磁気共鳴撮像装置。
【発明の詳細な説明】
【０００１】
【発明の属する技術分野】
本発明は、磁気共鳴信号収集方法および磁気共鳴撮像装置に関し、特に、１回の励起で生じる磁気共鳴信号に基づき、１スライスの断層像を生成するに足る複数の磁気共鳴信号を収集する磁気共鳴信号収集方法、および、そのようにして収集した磁気共鳴信号に基づいて画像を生成する磁気共鳴撮像装置に関する。
【０００２】
【従来の技術】
１回の励起で生じる磁気共鳴信号に基づき、１スライス(slice) の断層像を生成するに足る複数の磁気共鳴信号を収集する方法の一例として、シングルショット・ファーストスピンエコー(single shot fast spin echo)法が知られている。これは、９０°パルス(pulse) による励起の１回当たり、複数回の１８０°パルスおよびフェーズエンコード(phase encode)勾配磁場の印加によって、１スライスの断層像を生成するに足る複数の磁気共鳴信号を収集するようにしたものである。
【０００３】
静磁場強度が例えば０．５Ｔ以下の中低磁場においてシングルショット・ファーストスピンエコー法を実行するとき、ＳＮＲ(signal-to-noise ratio) の良いスピンエコー信号の収集を行うために、１スライス当たりシングルショット・ファーストスピンエコー法のパルスシーケンス(pulse sequence)を複数回繰り返して実行し、得られた複数セット(set) の信号を平均化することが行われる。パルスシーケンスの繰り返し回数をＮＥＸ(number of excitation)と呼ぶ。通常、ＮＥＸは２ないし３程度に選ばれる。
【０００４】
その際、パルスシーケンスの繰り返しは、スピンの縦緩和の待ち時間を含む所定の繰り返し時間ＴＲで行われる。待ち時間は、縦緩和時間Ｔ１が１８００ｍＳ程度のスピンが十分に緩和する時間、例えば１０秒程度に設定される。シングルショット・ファーストスピンエコー法のパルスシーケンスを１回実行するのに１秒かかるとすると、繰り返し時間ＴＲは例えば１１秒と設定される。
【０００５】
【発明が解決しようとする課題】
スキャン(scan)の所要時間は、繰り返し時間ＴＲのＮＥＸ倍となる。繰り返し時間ＴＲが１１秒の場合、ＮＥＸを２とすると、スキャン時間は２２秒となる。すなわち、スキャン開始後２２秒経たないとスキャンシーケンスが終了せず、撮像装置は次のステップ(step)に移行できない。
【０００６】
このため、例えば２ＮＥＸ目のパルスシーケンスを１秒で終えた段階で信号収集が完結するようなスキャンでは、それに続く１０秒の待ち時間は無駄な時間となる。
【０００７】
本発明は上記の問題点を解決するためになされたもので、その目的は、無駄な時間なしにＳＮＲの良い磁気共鳴信号を収集する磁気共鳴信号収集方法および磁気共鳴撮像装置を実現することである。
【０００８】
【課題を解決するための手段】
（１）上記の課題を解決する第１の本発明は、１スライスの断層像を生成するに足る複数の磁気共鳴信号を１回の励起で生じる磁気共鳴信号に基づいて収集する磁気共鳴信号収集方法であって、前記磁気共鳴信号の収集を１スライス当たり所定の繰り返し時間で複数回繰り返し、前記繰り返しの最終回に相当する磁気共鳴信号を収集した後は直ちに信号収集シーケンスを終了する、ことを特徴とする。
【０００９】
（２）上記の課題を解決する第２の本発明は、被検体を収容する空間に静磁場を形成する静磁場形成手段と、前記空間に勾配磁場を形成する勾配磁場形成手段と、前記空間に高周波磁場を形成する高周波磁場形成手段と、前記空間から磁気共鳴信号を測定する測定手段と、前記勾配磁場形成手段、前記高周波磁場形成手段および前記測定手段を制御することにより、１回の励起で生じる磁気共鳴信号に基づき１スライスの断層像を生成するに足る複数の磁気共鳴信号を収集するスキャンシーケンスを１スライス当たり所定の繰り返し時間で複数回繰り返すとともに、前記繰り返しの最終回に相当する磁気共鳴信号を収集した後は直ちに前記スキャンシーケンスを終了する制御手段と、前記測定手段が測定した前記磁気共鳴信号に基づいて画像を生成する画像生成手段と、を具備することを特徴とする。
【００１０】
（作用）
本発明では、磁気共鳴信号の収集を１スライス当たり所定の繰り返し時間で複数回繰り返すとき、繰り返しの最終回に相当する磁気共鳴信号を収集した後は直ちにスキャンシーケンスを終了する。これにより、繰り返し時間の残り時間がスキャン時間から除外され、スキャン時間が短縮される。
【００１１】
【発明の実施の形態】
以下、図面を参照して本発明の実施の形態を詳細に説明する。なお、本発明は実施の形態に限定されるものではない。
【００１２】
図１に磁気共鳴撮像装置のブロック(block) 図を示す。本装置は本発明の実施の形態の一例である。本装置の構成によって本発明の装置に関する実施の形態の一例が示される。本装置の動作によって本発明の方法に関する実施の形態の一例が示される。
【００１３】
（構成）
本装置の構成を説明する。図１に示すように、概ね円筒形を成す静磁場発生部２がその内部空間に均一な静磁場を形成するようになっている。静磁場発生部２は、本発明における静磁場形成手段の実施の形態の一例である。
【００１４】
静磁場発生部２の内部には、概ね円筒形を成す勾配コイル(coil)部４とボデイコイル(body coil) 部６が中心軸を共有して配置されている。ボデイコイル部６の内部空間に、被検体８が図示しない搬入手段によって搬入されている。
【００１５】
勾配コイル部４には勾配駆動部１０が接続されている。勾配コイル部４および勾配駆動部１０は、本発明における勾配磁場磁場形成手段の実施の形態の一例である。勾配駆動部１０は勾配コイル部４に駆動信号を与えて勾配磁場を発生させるようになっている。発生する勾配磁場は、スライス勾配磁場、リードアウト(read out)勾配磁場およびフェーズエンコード勾配磁場の３種である。
【００１６】
ボデイコイル部６には送信部１２が接続されている。ボデイコイル部６および送信部１２は、本発明における高周波磁場磁場形成手段の実施の形態の一例である。送信部１２はボデイコイル部６に駆動信号（ＲＦ(radio freqency)パルス）を与えてＲＦ磁場を発生させ、それによって、被検体８の体内のスピンを励起するようになっている。
【００１７】
励起されたスピンが発生する磁気共鳴信号がボデイコイル部６によって検出されるようになっている。ボデイコイル部６には受信部１４が接続されている。受信部１４はボデイコイル部６が検出した信号を受信するようになっている。
【００１８】
受信部１４にはアナログ・ディジタル(analog-to-digital) 変換部１６が接続されている。ボデイコイル部６、受信部１４およびアナログ・ディジタル変換部１６は、本発明における測定手段の実施の形態の一例である。アナログ・ディジタル変換部１６は受信部１４の出力信号をディジタル信号に変換するようになっている。アナログ・ディジタル変換部１６はコンピュータ(computer)１８に接続されている。
【００１９】
コンピュータ１８はアナログ・ディジタル変換部１６からディジタル信号を入力し、図示しないメモリ(memory)に記憶するようになっている。メモリ内にはデータ(data)空間が形成されている。このデータ空間は２次元フーリエ(Fourie)空間を構成する。コンピュータ１８は、この２次元フーリエ空間のデータを２次元逆フーリエ変換して被検体８の画像を再構成する。コンピュータ１８は、本発明における画像生成手段の実施の形態の一例である。
【００２０】
コンピュータ１８には制御部２０が接続されている。制御部２０は、本発明における制御手段の実施の形態の一例である。制御部２０には勾配駆動部１０、送信部１２、受信部１４およびアナログ・ディジタル変換部１６が接続されている。制御部２０は、コンピュータ１８から与えられる指令に基づいて勾配駆動部１０、送信部１２、受信部１４およびアナログ・ディジタル変換部１６をそれぞれ制御するようになっている。
【００２１】
コンピュータ１８には表示部２２と操作部２４が接続されている。表示部２２はコンピュータ１８から出力される再構成画像を含む各種の情報を表示するようになっている。操作部２４は操作者によって操作され、各種の指令や情報等をコンピュータ１８に入力するようになっている。
【００２２】
（動作）
本装置の動作を説明する。先ずシングルショット・ファーストスピンエコー法について説明する。図２にシングルショット・ファーストスピンエコー法によるパルスシーケンスの一例を示す。
【００２３】
図２において、横軸は時間、縦軸は信号強度を示す。また、（ａ）はＲＦパルス信号（９０°パルスおよび１８０°パルス）、（ｂ）はスライス勾配磁場信号（スライス勾配）、（ｃ）はリードアウト勾配磁場信号（リードアウト勾配）およびディフェーズ(dephase) 勾配磁場信号（ディフェーズ勾配）、（ｄ）はフェーズエンコード勾配磁場信号（フェーズエンコード勾配）、（ｅ）はスピンエコー信号を示す。
【００２４】
ＲＦパルスのシーケンス（ａ）はボデイコイル部６および送信部１２の動作を示す。スライス勾配のシーケンス（ｂ）、リードアウト勾配およびディフェーズ勾配のシーケンス（ｃ）、および、フェーズエンコード勾配のシーケンス（ｄ）は勾配コイル部４および勾配駆動部１０の動作を示す。
【００２５】
図３にスピンの挙動を概念的に示す。同図において、ｘ’，ｙ’，ｚ’は、回転座標系における互いに垂直な３つの座標軸を示す。以下、図２および図３を用いてシングルショット・ファーストスピンエコー法による動作を説明する。
【００２６】
図２に示すように、時刻ｔ１において９０°パルスによりスピンの励起が行われる。このとき同時にスライス勾配が印加される。これによって、図３の（ａ）に示すように、ｚ’方向を向いていたスピンが９０°倒れてｙ’方向を向く。
【００２７】
次に、時刻ｔ２においてディフェーズ勾配が所定時間印加される。これによって、図３の（ｂ）に示すようにスピンの位相が分散（ディフェーズ）する。
次に、時刻ｔ３において１８０°パルス（１８０°ｙパルス）によりスピンの反転が行われる。このとき同時にスライス勾配が印加される。これによって、図３の（ｃ）に示すように、スピンがｙ’軸の回りで１８０°回転する。
【００２８】
次に、時刻ｔ４においてフェーズエンコード勾配が印加されスピンのフェーズエンコードが行われる。また、リードアウト勾配の印加が始まる。リードアウト勾配の印加期間中にスピンの位相変化が継続し、図３の（ｄ）に示すように、分散していた位相が収束する。
【００２９】
途中の時刻ｔ５において、リードアウト勾配の積分値がディフェーズ勾配の積分値に等しくなり、図３の（ｅ）に示すように、スピンの位相が揃う。この時点で最初のスピンエコー信号のピーク(peak)が生じる。
【００３０】
時刻ｔ５を過ぎると、図３の（ｆ）に示すように、スピンの位相変化の継続により位相が分散してエコー信号は減衰する。
フェーズエンコード勾配の印加後、リードアウト勾配印加期間中にエコー信号の読み出しが行われる。エコー信号の読み出しは、ボデイコイル部６−受信部１４−アナログ・ディジタル変換部１６−コンピュータ１８の系統によって行われる。以下同様である。
【００３１】
この期間のスピンエコー信号を、時間軸を拡大して示せば図４のようになる。ただし、スピンエコー信号は正確な波形図ではなく概念図で示す。同図に示すように、スピンエコー信号は読み出し開始時刻ｔ４’からｔ５にかけて次第に振幅が増加してピークに達し、時刻ｔ５から読み出し終了時刻ｔ６にかけて振幅が減衰する。
【００３２】
図２に戻って、スピンエコー信号の読み出しの終了時刻ｔ６において逆極性のフェーズエンコード勾配が印加される。これによって、フェーズエンコード量が０に引き戻される。
【００３３】
時刻ｔ７において第２回目の１８０°パルスが印加され、スピンの再反転が行われる。このときスライス勾配が印加される。なお、スライス勾配の波形の両端のピークは、１８０°パルス後のＦＩＤ(free induction decay)信号のスポイル(spoil) とスティミュレーテッドエコー(stimulated echo) 結像のためのキラーパルス(killer pulseI) である。
【００３４】
以下、第１回目と同様にフェーズエンコード勾配によるスピンのフェーズエンコードと、リードアウト勾配によるスピンエコー信号の読み出しが行われる。ただし、フェーズエンコード勾配の強度は、第１回目とは相違する。これによってフェーズエンコード量の異なる第２回目のスピンエコー信号が得られる。
【００３５】
以下、同様にして、各回の１８０°パルスおよびスライス勾配、フェーズエンコード勾配、リードアウト勾配の印加により、位相エンコード量の異なるスピンエコー信号が順次得られる。それらスピンエコー信号がコンピュータ１８のメモリに収集される。
【００３６】
このようなスピンエコー信号の読み出しに伴って、２次元フーリエ空間では所定の軌跡（トラジェクトリ(trajectory)）に沿ってデータの収集が進行する。その様子を図５に示す。図５において、ｋは２次元フーリエ空間である。これはｋスペース(k-space) とも呼ばれる。ｋｘ，ｋｙは２次元フーリエ空間ｋにおける互いに直交する２つの座標軸であり、ｋｘが周波数軸（リードアウト軸）、ｋｙが位相軸（フェーズエンコード軸）である。
【００３７】
データ収集のトラジェクトリｔｒｊは例えばｋｘ＝−１００，ｋｙ＝１００の点から始まる。なお、座標の単位は％である。ｋｘ＝−１００は図４に示したスピンエコー信号の左端に相当する。ｋｙ＝１００は最初のスピンエコーエコー信号のフェーズエンコード量である。これは時刻ｔ４におけるフェーズエンコード勾配によって決定される。
【００３８】
リードアウト期間中のスピンエコー信号の読み出し（スピンエコーデータの収集）に伴って、トラジェクトリｔｒｊは矢印に沿ってｋｘ＝１００まで到達する。途中のｋｘ＝０の点が時刻ｔ５の時点に相当し、ここでピーク値が収集される。
【００３９】
時刻ｔ８における２回目のフェーズエンコードによってトラジェクトリが１ステップ下がり、次のリードアウト期間中に、次のスピンエコーについてのデータ収集が行われ、トラジェクトリｔｒｊは２行目の矢印に沿ってｋｘ＝−１００からｋｘ＝１００まで到達する。
【００４０】
以下同様に、フェーズエンコードの度に順次ｋｙ軸に沿って下方に遷移しながら、ｋｘ軸に沿って２次元フーリエ空間ｋへのデータ収集が行われる。これによって、２次元フーリエ空間ｋ全体を埋めるデータが収集される。
【００４１】
あるいは、データの収集をｋｙ軸の例えば上半分に相当する、２次元フーリエ空間ｋの半分を埋めるだけにとどめることが行われる。これは、１８０°パルスの印加回数を半減しスキャン時間を短縮する点で好ましい。
【００４２】
２次元フーリエ空間ｋのデータに基づいて、コンピュータ１８により画像の再構成が行われる。画像再構成は２次元逆フーリエ変換によって行われる。なお、データの収集を２次元フーリエ空間ｋの半分を埋めるだけにとどめた場合は、２次元フーリエ空間ｋの半分のデータから画像を再構成する、いわゆるハーフフーリエ(half Fourie) 法が利用される。
【００４３】
ＮＥＸが２以上の場合は、図２のパルスシーケンスを１スライス当たりＮＥＸ回繰り返す。パルスシーケンスの繰り返し時間ＴＲは、例えば縦緩和時間Ｔ１が１８００ｍＳ程度のスピンが９９．６％回復するまでの待ち時間１０秒を含めて、例えば１１秒とされる。
【００４４】
スキャンの効率を高めるために、スピンの緩和を待つ間に位置の異なる複数のスライスを順次スキャンする、すなわち、マルチスライススキャン(multi-slice scan)を行う。その場合、図２に示したパルスシーケンスを各スライス毎に実行する。
【００４５】
図６に、ＮＥＸが２以上のマルチスライススキャンの概念図を示す。同図に示すように、第１スライスから第ｎスライスまでｎスライスのスキャンを順次実行する。１スライス当たりのパルスシーケンスの実行時間はａｃｔｔｒである。ａｃｔｔｒは例えば１秒である。
【００４６】
第１スライスの第１回目（１ＮＥＸ）のスキャン後、同スライスの第２回目（２ＮＥＸ）のスキャン開始までの時間が緩和待ち時間Ｔとなる。緩和待ち時間Ｔは、ＴＲ−ａｃｔｔｒであり、例えば１０秒である。
【００４７】
スライス数ｎが少ないときは、図６の（ａ）に示すように、第ｎスライスの１ＮＥＸのパルスシーケンスは緩和待ち時間Ｔの途中で終了する。これに対して、スライス数ｎが多くなると、同図の（ｂ）に示すように、第ｎスライスの１ＮＥＸのパルスシーケンスの終了時点は、緩和待ち時間Ｔを越えるようになる。
【００４８】
次に、マルチＮＥＸでマルチスライススキャンを行う場合の、本装置の動作を説明する。図７に、本装置の動作のフロー(flow)図を示す。この動作は制御部２０による制御のもとで行われる。
【００４９】
同図に示すように、ステップ７００において、ＮＥＸの値がｍと設定される。ここでは、例えばｍ＝２である。ｍの値は、スキャン部位に応じて予め用意されている標準値が用いられる。あるいは、操作者がその都度所望の値を設定するようにしても良い。
【００５０】
次に、ステップ７０２において、図示しないカウンタの計数値ｉを０にリセットする。
次に、ステップ７０４において、計数値ｉに１が加算される。計数値ｉは何回目（ＮＥＸ）のスキャンであるかを示す。いまは、０に１が加算されたことにより、第１回目すなわち１ＮＥＸのスキャンを示している。
【００５１】
次に、ステップ７０６において、第１スライスについてのスキャンを行う。
次に、ステップ７０８において、第２スライスについてのスキャンを行う。
以下、順次、各スライスについてのスキャンを行い、ステップ７２０において第ｎスライス（最後のスライス）のスキャンを行う。
【００５２】
次に、ステップ７２２において、計数値ｉがｍに等しいか否かを判定する。
いま、ｉ＝１でありｍ＝２と等しくないのでＮｏであり、ステップ７２４に分岐する。
【００５３】
次に、ステップ７２４において、ａｃｔｔｒ×（ｎ−１）＞Ｔであるか否かを判定する。
この判定は、ｎ−１個のスライスのスキャン時間ａｃｔｔｒ×（ｎ−１）と緩和待ち時間Ｔとの大小関係が、図６の（ａ），（ｂ）のいずれに該当するかを判定するものである。
【００５４】
Ｎｏの場合は、図６の（ａ）に該当し、ステップ７２６に分岐して緩和待ち、すなわち、緩和待ち時間Ｔが経過するまで待機する。そして、緩和待ち時間Ｔの経過後にステップ７０４に戻る。
【００５５】
なお、待機期間中にも、例えばスライス勾配のみをパルスシーケンス実行中と同様に発生するようにすると、勾配コイル部４が発生する音響によって、見掛け上装置が作動しているような印象を操作者等に与え、待機状態が装置の停止状態ないし故障状態（ハングアップ(hung up））と誤認されない点で好ましい。
【００５６】
Ｙｅｓの場合は、図６の（ｂ）に該当し、すでに緩和待ち時間Ｔが経過しているので、緩和待ちすることなくステップ７０４に戻る。
次に、ステップ７０４において、計数値ｉに１が加算されてｉ＝２となる。以下、ステップ７０６〜７２０により、第１スライス〜第ｎスライスについて２ＮＥＸのスキャンを順次行う。
【００５７】
次に、ステップ７２２において、ｉ＝ｍであるか否かを判定する。ｉ＝２になっているからＹｅｓであり、ステップ７２８に分岐する。
次に、ステップ７２８において、パルスシーケンスを終了する。これによって、例えば図８の（ａ）に示すように、２ＮＥＸの第ｎスライス（最後のスライス）のスキャンを終えた時点が緩和待ち時間Ｔ内にある場合、緩和待ち時間Ｔが経過するまで待つことなく直ちにパルスシーケンスを終了する。
【００５８】
このように、パルスシーケンスを終了することにより緩和待ちを打ち切り、無駄な待ち時間を排除する。したがって、緩和待ちを打ち切った分だけスキャン時間が短縮される。
【００５９】
特に、例えば図８の（ｂ）に示すように、単一のスライスをＮＥＸを２としてスキャンするとき、２ＮＥＸにおける緩和待ち時間Ｔが全部無くなるので、スキャン時間の短縮効果が大きい。すなわち、従来のように緩和待ちの打ち切り行わないとき例えば２２秒要していたスキャン時間が１２秒に短縮され、ほぼ半減することになる。これは、被検体８を息止めスキャンする場合等には、特に効果的である。
【００６０】
次に、ステップ７３０において、以上のようにして収集されたスピンエコーデータに基づいて各スライスの画像を再構成する。画像再構成に当たっては、予め、各スライスごとに、１ＮＥＸのデータと２ＮＥＸのデータを平均することにより収集データのＳＮＲを向上させる。
【００６１】
次に、ステップ７３０において、再構成画像を表示部２２により可視像として表示する。
以上は、シングルショット・ファーストスピンエコー法を用いる例であるが、磁気共鳴信号収集はシングルショット・ファーストスピンエコー法に限るものではなく、例えば、エコープラナー(echo planer) 法を利用するようにしても良い。その場合、ＮＥＸが２以上のスキャンを行うとき、上記と同様にして無駄な時間を無くすことができる。
【００６２】
また、静磁場の方向が被検体の体軸に平行な、いわゆる水平磁場方式の磁気共鳴撮像装置の例について説明したが、本発明は、静磁場の方向が被検体の体軸に垂直な、いわゆる垂直磁場方式の磁気共鳴撮像装置で実施することもできる。
【００６３】
図９に、垂直磁場方式の磁気共鳴撮像装置のブロック図を示す。同図に示すように、静磁場発生部２がその内部空間に均一な静磁場を形成するようになっている。静磁場発生部２は図示しない例えば永久磁石等の１対の磁気発生器を備えており、それらが間隔を保って上下方向に対向し、その対向空間に静磁場（垂直磁場）を形成している。なお、磁気発生器は永久磁石に限らず、常電導電磁石や超電導電磁石等であって良い。
【００６４】
静磁場発生部２には勾配コイル部４，４’および送信コイル部５，５’がそれぞれ設けられ、同様に間隔を保って上下方向に対向している。
送信コイル部５，５’の間の静磁場空間には、概ね円筒形を成すボデイコイル部６が配置されている。ボデイコイル部６の中心軸は静磁場の方向と直交するようになっている。ボデイコイル部６の内部に形成される概ね円柱状の空間に、被検体８が図示しない搬入手段によって搬入されている。被検体８の体軸は静磁場の方向と直交する。
【００６５】
勾配コイル部４，４’には勾配駆動部１０が接続されている。勾配駆動部１０は勾配コイル部４，４’に駆動信号を与えて勾配磁場を発生させるようになっている。発生する勾配磁場は、スライス勾配磁場、読み出し勾配磁場および位相エンコード勾配磁場の３種である。
【００６６】
送信コイル部５，５’には送信部１２が接続されている。送信部１２は送信コイル部５，５’に駆動信号を与えてＲＦ磁場を発生させ、それによって、被検体８の体内の特定の原子のスピンを励起するようになっている。
【００６７】
ボデイコイル部６は、被検体８内の励起されたスピンが発生する磁気共鳴信号を検出するようになっている。ボデイコイル部６には受信部１４が接続されている。受信部１４はボデイコイル部６が検出した信号を受信するようになっている。
【００６８】
以下、図１に示した装置と同様な構成になっている。このような構成によって図１に示した装置と同様な撮像動作が行われる。
【００６９】
【発明の効果】
以上詳細に説明したように、本発明では、１スライスの断層像を生成するに足る複数の磁気共鳴信号を１回の励起で生じる磁気共鳴信号に基づいて収集するに当たり、磁気共鳴信号の収集を１スライス当たり所定の繰り返し時間で複数回繰り返すとともに、繰り返しの最終回に相当する磁気共鳴信号を収集した後は直ちに信号収集シーケンスを終了するようにしたので、無駄な時間なしにＳＮＲの良い磁気共鳴信号を収集する磁気共鳴信号収集方法および磁気共鳴撮像装置を実現することができる。
【図面の簡単な説明】
【図１】  本発明の実施の形態の一例の装置のブロック図である。
【図２】  本発明の実施の形態の一例の装置が実行するパルスシーケンスの一例を示す図である。
【図３】  スピンエコー法を実行したときのスピンの挙動の概念図である。
【図４】  本発明の実施の形態の一例の装置によって読み出されるスピンエコー信号の概念図である。
【図５】  本発明の実施の形態の一例の装置による２次元フーリエ空間へのデータ収集の概念図である。
【図６】  本発明の実施の形態の一例の装置によりマルチＮＥＸでマルチスライススキャンを行う場合の概念図である。
【図７】  本発明の実施の形態の一例の装置の動作のフロー図である。
【図８】  本発明の実施の形態の一例の装置によりＮＥＸを２としてマルチスライススキャンを行う場合の概念図である。
【図９】  垂直磁場方式の磁気共鳴撮像装置のブロック図である。
【符号の説明】
２  静磁場発生部
４，４’  勾配コイル部
５，６’  送信コイル部
６  ボデイコイル部
８  被検体
１０  勾配駆動部
１２  送信部
１４  受信部
１６  アナログ・ディジタル変換部
１８  コンピュータ
２０  制御部
２２  表示部
２４  操作部
【図１】
0003748678.tif 000002
【図２】
0003748678.tif 000003
【図３】
0003748678.tif 000004
【図４】
0003748678.tif 000005
【図５】
0003748678.tif 000006
【図６】
0003748678.tif 000007
【図７】
0003748678.tif 000008
【図８】
0003748678.tif 000009
【図９】
0003748678.tif 000010